(57)【要約】      （修正有）【課題】狭い環境において使用可能な、安全かつ安定した送風機を提供する。【解決手段】本考案は、主プロペラと、気流を生成するために主プロペラを回転するように駆動する、主プロペラに作動可能に接続された主モータとを備える送風機を提供する。本送風機はさらに、風案内デバイスと補助モータとを備え、該風案内デバイスは、風保護板および風阻止板から構成されかつ主モータを取り囲み、そしてエアの流出を容易にするために、風保護板と風阻止板との間にギャップが提供されており、該補助モータは、風向を変化させるために該風案内デバイスを振動するように駆動する、回転から振動にシフトさせるデバイスを介して該風案内デバイスに作動可能に接続されている。【選択図】図１
0003110040.tif 000002
【実用新案登録請求の範囲】
【請求項１】
主プロペラ（１９）；および
気流を生成するために主プロペラ（１９）を回転させるように駆動する、主プロペラ（１９）に作動可能に接続された主モータ（２４）
を備える送風機であって、該送風機はさらに、
風保護板（３５）および風阻止板（２１）から構成され、かつ主プロペラ（１９）を取り囲む風案内デバイスであって、エアの流出を容易にするために、風保護板（３５）と風阻止板（２１）との間にギャップが提供されている、風案内デバイス；ならびに
風向を変化させるために該風案内デバイスを振動するように駆動する、回転から振動にシフトさせるデバイスを介して該風案内デバイスに作動可能に接続された補助モータ（５３）
を備える、送風機。
【請求項２】
イオン生成機（８５）をさらに備える、請求項１に記載の送風機。
【請求項３】
水フィルタをさらに備える、請求項１に記載の送風機。
【請求項４】
水フィルタをさらに備える、請求項２に記載の送風機。
【請求項５】
筐体をさらに備え、前記主プロペラ（１９）および前記風案内デバイスの両方が、該筐体内に配置されている、請求項１〜４のいずれか１項に記載の送風機。
【請求項６】
前記回転から振動にシフトさせるデバイスが、クランク−ロッカー機構である、請求項１〜４のいずれか１項に記載の送風機。
【請求項７】
前記回転から振動にシフトさせるデバイスが、クランク−ロッカー機構である、請求項５に記載の送風機。
【考案の詳細な説明】
【技術分野】
【０００１】
本考案は、主プロペラと、気流を生成するために主プロペラを回転させるように駆動する、主プロペラに作動可能に接続された主モータとを備える送風機に関するものである。
【背景技術】
【０００２】
従来技術として、床置き式送風機、卓上式送風機、天井設置型送風機、羽根回転式送風機、および横方向に送風するタイプの送風機のような種々の送風機が開示されており、その例のいくつかが、特許公報（ＵＳ６，３４４，０６５Ｂ１、ＣＮ１０６３５３０Ｃ、ＣＮ１０３４０４３ＡおよびＣＮ１１４７６０３Ａ）に見出され得るか、または図４に示されるようなＦＳ２９−ＳＷタワーであり得る。
【考案の開示】
【考案が解決しようとする課題】
【０００３】
上述した慣用的な送風機は、以下の欠点を有する：
１）慣用的な床置き式送風機、卓上式送風機、天井設置型送風機（例えば、天井扇）、羽根回転式送風機、および横方向に送風するタイプの送風機においては、送風口（ファンヘッド）全体および実質的に円筒形であるハウジング全体を振動可能にすることによって風向が変化される。この状況では、送風口全体および実質的に円筒形であるハウジング全体は、かさが大きく、そのため、回転の慣性が相対的に大きく、よって風向を変化するためにより多くのエネルギーが消費される。慣用的な羽根回転式送風機に関して、前面にあるガイド用の羽根が回転して風向を変化させる。この状況では、ガイド用の羽根の半径は相対的に大きく、その結果、回転の慣性が相対的に大きく、よって風向を変化するためにより多くのエネルギーが消費される。さらに、振動する送風口（ヘッド）を有する慣用的な送風機は、この送風口を振動させるために予め定められた室内空間を必要とし、このことは、狭い環境において特に不利である。要約すれば、従来技術における欠点の１つは、より多くのエネルギーの浪費とより大きな空間の占有である。
【０００４】
２）従来技術では、風向を変化させるための振動部分（送風口全体および実質的に円筒形であるハウジング全体）または回転部分（ガイド用の羽根）が外側へ露出しているので、振動または回転が周囲の物品またはヒト（例えば、操作者）を偶然に傷付け得る。例えば、少年が送風機を操作する際に、振動する送風口、ハウジングまたは回転する羽根が、少年の指を偶然に傷付け得る。
【０００５】
３）さらに、振動する送風口を有する慣用的な送風機は、運転時に、送風口の振動に起因して重心がシフトし得る。したがって、従来技術の送風機の別の欠点は、運転時に、送風機がぐらぐらして十分に安定しておらず、転倒しがちである。
【課題を解決するための手段】
【０００６】
従来技術における欠点を克服するために、本考案は、内部振動技術を適用した送風機を提供する。本考案に係る送風機は、主プロペラと、気流を生成するために主プロペラを回転させるように駆動する、主プロペラに作動可能に接続された主モータとを備え、本送風機はさらに、風案内デバイスと補助モータとを備え、該風案内デバイスは、風保護板および風阻止板から構成されかつ主モータを取り囲み、そしてエアの流出を容易にするために、風保護板と風阻止板との間にギャップが提供されており、該補助モータは、風向を変化させるために該風案内デバイスを振動するように駆動する、回転から振動にシフトさせるデバイスを介して該風案内デバイスに作動可能に接続されている。
【０００７】
好ましい実施形態において、本考案に係る送風機は、イオン生成機をさらに備える。
【０００８】
別の好ましい実施形態において、本考案に係る送風機は、水フィルタをさらに備える。
【０００９】
さらに好ましい実施形態において、本考案に係る送風機は、筐体をさらに備え、上記主プロペラおよび上記風案内デバイスの両方がその筐体内に配置されている。
【００１０】
さらに好ましい実施形態において、上記回転−振動をシフトするデバイスは、クランク−ロッカー機構（ｃｒａｎｋ  ａｎｄ  ｒｏｃｋｅｒ  ｍｅｃｈａｎｉｓｍ）である。
【考案の効果】
【００１１】
先行技術と比較して、本考案は、以下の点において都合がよい：１）振動する部材（すなわち、風保護板および風阻止板）の回転の慣性がより小さく、よって本考案に従う送風機は、エネルギーを節約し、本送風機の送風口の振動を容易にするために設けられるべき空間を必要とせず、このことは狭い環境において特に有利である；２）筐体は静止しており、かつ振動する風案内デバイスを内包するので、本送風機は非常により安全である；３）内部振動技術によって、送風機全体の重心がぐらぐらせず安定することができ、その結果、本送風機において、送風口の振動に起因して慣用的な送風機において見られるような重心のシフトを、もはや生じない。結果として、本考案に従う送風機は、非常に安定であり、転倒しづらい。
【考案を実施するための最良の形態】
【００１２】
（好ましい実施形態）
図１および２に示すように、本考案に係る送風機の好ましい実施形態（出願人の製品モデルＪＨ−ＡＦＮ）は、実質的に円筒形である主プロペラ９を備える。このプロペラは、横方向に送風する送風機において使用されている慣用的なプロペラまたは他の同様の構成の慣用的なプロペラであり得る。よって、主プロペラの特定の構造は、本明細書中で詳細には記載しない。本明細書中での以下の記載において、「軸方向」は、送風機が正常に置かれた場合に、主プロペラの垂直軸の方向をいい、「ラジアル方向」は、上記軸に垂直の方向をいう。主モータ２４は、慣用的な様式で主プロペラ１９の軸方向に沿って主プロペラ１９に作動可能に接続されており、気流を生成するために主プロペラを回転させるように駆動するために使用される。主モータ２４は、スクリューを介して主モータホルダ２６中に脱着可能に取り付けられている。
【００１３】
本考案に従う送風機は、風保護板３５および風阻止板２１から構成され、かつ主モータ１９を取り囲む風案内デバイスをさらに備える。風保護板３５および風阻止板２１は、主プロペラ１９の軸方向に沿って配置され、これらは互いに脱着可能に接続されている。風保護板３５は、上壁および下壁を有し、主プロペラ１９の軸方向に沿って伸びている。主プロペラ１９の頂端は、上記上壁上に支持されており、主プロペラ１９の下端は、主モータ２４に作動可能に接続されている。主モータ２４のホルダ２６は、風保護板３５の下壁に接続されている。加えて、エアの流出を容易にするために、風保護板３５と風阻止板２１との間にギャップが残っている。
【００１４】
本考案に従う送風機は、上部前方筐体５、下部前方筐体８０、上部後方筐体６５および下部後方筐体７５を含む複合型の筐体をさらに備える。この筐体は、一緒に組み立てられて実質的に円筒形の一体型の筐体を形成し、その中に、主プロペラ１９および風案内デバイスが受容されている。特定には、上部前方筐体５は、リモートコントローラおよびそのいくつかの付属品を受容するための開口を備えて提供され得る。上部後方筐体６５は、上端プレート、下端プレートおよび中央仕切り板を備える。風保護板３５は、上部後方筐体６５の上端において、上部シャフト３２および付属品（例えば、シャフトクランプ２９、シャフトリング３１およびシャフトブッシュ３２）を介して上部後方筐体６５の上端プレート上に支持されており、上部後方筐体６５の下端において、下部シャフト３７および付属品（例えば、シャフトクランプ４３、シャフトリング４１、シャフトブッシュ４０、シャフト台およびシャフト座金３８）を介して上部後方筐体６５の中央仕切り板上に支持されている。中央仕切り板は、回転から振動にシフトさせるデバイスをその上に有して提供される。特定には、本考案に従う好ましい実施形態において、回転から振動にシフトさせるデバイスは、図３および３に示されるようなクランク−ロッカー機構であり、カム５１および両端にそれぞれ孔を有して提供されるカムレバー４６を備える。カム５１の一端は、同期電動機（ｓｙｎｃｈｒｏｎｏｕｓ  ｍｏｔｏｒ）５３の出力シャフトと協同する孔を有して提供される。カム５１は、カムピン５２を介して出力シャフトに接続され、その結果、カム５１は、回転するように同期電動機５３によって駆動され得る。カム５１の他端は、カムレバー４６の一端にてその孔内に挿入するための突出部を有して提供され、これにより、カムレバー４６の該端と蝶番式に取り付けられる。さらに、風保護板３５の下壁はまた、カムレバー４６の上記他端にてその孔内に挿入するための突出部を有して提供され、これにより、カムレバー４６の該他端と蝶番式に取り付けられる。原則として、風保護板３５の振動中心からカム５１の回転中心までの中央仕切り板部分は、クランク−ロッカー機構の可撓性レバーと等価であり、カム５１はクランクと等価であり、カムレバー４６は接続レバーと等価であり、そして風保護板３５はロッカーと等価である。運転時に、同期電動機５３は、カム５１（クランク）を駆動して回転させ、その回転は、クランク−ロッカー機構を介して風保護板３５（ロッカー）の振動にシフトされ、これにより、風向を変化する目的を実現する。回転から振動にシフトさせるデバイスは本明細書中にクランク−ロッカー機構と組み合わせて記載されているが、当業者は、回転から振動へのシフトを実現し得る任意の他のデバイス（例えば、平行二重クランク機構、振動ガイドレバー機構、振動駆動部材ディスク形状カム機構）はいずれも本考案の範囲内であることを理解する。
【００１５】
さらに、メインコントローラ５７およびいくつかの付属品を受容するための空間が、上部後方筐体６５の下端プレートと中央仕切り板との間で規定される。
【００１６】
組み立てられかつ形成された後、一体型の筐体が、前方基部６３および後方基部６７からなる基部に据え付けられる。
【００１７】
上述した内容から、いわゆる内部振動技術とは、主プロペラ１９の回転および風案内デバイスの振動の両方が上記筐体の内側で起こるものであることを意味するということは容易に理解される。
【００１８】
本考案に従う別の好ましい実施形態（本出願人による製品モデルＪＨ−ＡＦＩ）において、送風機はイオン生成機８５を備える。風阻止板２１は、例えば金属から構成され、イオン生成機８５は、イオン生成機ホルダ８１およびスクリューを介して風阻止板２１に固定される。イオン生成機８５をマウントする部位は必要に応じて自由に選択され得るということが、本明細書中で理解される。イオン生成機８５の機能、原理および構造は周知であり、したがって本明細書中で詳細には記載しない。このイオン生成機は、送風機の運転中にアニオンを生成し得る点、周囲の空気環境の改善する助けとなり、使用者の肉体的健康および精神的健康を促進する点において有利である。
【００１９】
本考案に従うさらに別の好ましい実施形態（本出願人による製品モデルＪＨ−ＡＦＷ）において、送風機は水フィルタを備える。好ましい実施形態において、図２の左下部分に示すように、下部前方筐体８６の下方部分は、開口を有して提供され、この開口を通して、下部前方筐体８６および下部後方筐体７５によって囲まれる空間中に水タンク１００およびその付属品が受容される。この付属品としては、例えば、コイルモータ（ｓｈａｄｅｄ−ｐｏｌｅ  ｍｏｔｏｒ）９１、コイルモータホルダ９２、プロペラ上部筐体９４、プロペラ９５、プロペラ下部筐体９７、および水タンクカバー９９が挙げられる。水フィルタの機能、原理および構造は周知であり、したがって本明細書中で詳細には記載しない。水フィルタは、送風機の運転中に空気中の埃および夾雑物をし得、周囲の空気環境の改善する助けとなる点において有利である。加えて、水フィルタは、乾燥地域で使用される場合、湿度を上昇させるという利点を有する。
【００２０】
上記の記載は、図面を参照して本考案の好ましい実施形態を記載するが、当業者は、本考案が上記の好ましい実施形態の特定の内容に限定されないことを理解する。例えば、構成要素部分同士を連結させた態様（例えば、縫うような連結、鋲締め、接着性連結または溶接）は、必要に応じて自由に選択され得る。適用された駆動源は、当業者によって選択され得る任意のモータおよびモータに加えて他の駆動源であり得、本明細書中に記載される同期式モータおよびコイルモータに限定されない。さらに、１つの部分の機能は、逆に２つ以上の部分として実現され得る。すなわち、当業者は、添付の特許請求の範囲に規定されるような実用新案登録請求の範囲を超えない程度に種々のバリエーションおよび改善をなし得る。
【図面の簡単な説明】
【００２１】
本考案は、添付の図面を参照して好ましい実施形態を記載することによって特定される。
【図１】図１は、本考案に係る送風機の好ましい実施形態の斜視図である。
【図２】図２は、本考案に係る送風機の好ましい実施形態の構成要素部分を分解した斜視図である。
【図３】図３は、本考案に係る送風機の好ましい実施形態の別の斜視図であり、風案内デバイスと補助モータとのマウント部位およびこれらの間の連結関係を大まかに示す。
【図４】図４は、従来技術におけるＦＳ２９−ＳＷタワーを示す図である。
【図１】
0003110040.tif 000003
【図２】
0003110040.tif 000004
【図３】
0003110040.tif 000005
【図４】
0003110040.tif 000006